(57)【要約】【課題】安全針デバイスは、ハウジング、引っ込み可能なシースおよび針カニューレを有する。【解決手段】引っ込み可能なシースは、ハウジングの一部まわりに摺動可能に取り付けられたカニューレの長さを完全にまたは部分的に包み込む管状部分を含む。引っ込み可能なシースは、遠位端に鈍先端または斜めの先端を有するシースベベルを含む。斜めの先端は、適切な注射角度に構成され、固定されても回転可能であってもよい。シースベベルは、遠位端に皮膚に係合する接触面を含むことができる。針は、ハウジングの近位端にある針ハブに連結されてもよく、遠位端に針ベベルを含む。シースベベルと針ベベルは、互いにオフセットされ得る。針穿通を示す目盛のある注射深さゲージを有する引っ込み可能なシースを有する安全針デバイスも開示される。【選択図】図１
2018015654.tif 000002
【特許請求の範囲】
【請求項１】
近位端、および開口を有する遠位端を有するハウジングと、
前記開口内に配置されその中を移動することができ、針を囲繞する、引っ込み可能なシースとを備え、
前記針は、前記ハウジングの前記近位端にある針ハブに連結され、前記針の前記遠位端に針ベベルを有し、
前記引っ込み可能なシースは前記引っ込み可能なシースの前記遠位端にシースベベルを有し、前記シースベベルおよび前記針ベベルは互いにオフセットされ、前記シースベベルは、第１のベベルを形成する第１の注射角度ガイドと、前記第１の注射角度ガイドよりも大きく構成され、第２のベベルを形成する第２の注射角度ガイドと、前記第１のベベル及び前記第２のベベルは、交わり部で交わり、前記引っ込み可能なシースの前記遠位端に鈍先端として構成され、第２の注射角度ガイドに隣接して配置された第３の注射角度ガイドとの３つの注射角度ガイドを含むことを特徴とする安全針デバイス。
【請求項２】
前記シースベベルおよび前記針ベベルは、１８０度オフセットされることを特徴とする請求項１に記載の安全針デバイス。
【請求項３】
前記シースベベルは、注射前に皮膚をぴんと張って保持するための皮膚に係合する接触面のセクションを含むことを特徴とする請求項１に記載の安全針デバイス。
【請求項４】
前記皮膚に係合する接触面は、摩擦を高める材料からなることを特徴とする請求項３に記載の安全針デバイス。
【請求項５】
前記シースベベルは、５から９０度の範囲内に形成される少なくとも１つの注射角度ガイドを備えることを特徴とする請求項１に記載の安全針デバイス。
【請求項６】
前記第１の注射角度ガイドは、１０から９０度の範囲内に形成され、前記第２の注射角度ガイドは、１０から９０度の範囲内に形成されることを特徴とする請求項１に記載の安全針デバイス。
【請求項７】
前記注射角度ガイドは、注射部位に対して前記針ベベル角度を適合させるように回転可能であることを特徴とする請求項５に記載の安全針デバイス。
【請求項８】
前記シースベベルは、高摩擦接触面を有する湾曲した先端を有することを特徴とする請求項１に記載の安全針デバイス。
【請求項９】
前記シースベベルは、遠位方向に向いた軸方向突出部を有する鈍先端を備えることを特徴とする請求項１に記載の安全針デバイス。
【請求項１０】
前記軸方向突出部は、皮膚との高い摩擦係数を有する材料で作製されるナブをさらに含むことを特徴とする請求項９に記載の安全針デバイス。
【請求項１１】
近位端、および開口を有する遠位端を有するハウジングと、
前記開口内に配置されその中を移動することができ、針を囲繞する、引っ込み可能なシースであって、前記引っ込み可能なシースは、針穿通深さを示す目盛のある注射深さゲージ、および、前記引っ込み可能なシースの前記遠位端にシースベベルを有し、前記シースベベルは、第１のベベルを形成する第１の注射角度ガイドと、前記第１の注射角度ガイドよりも大きく構成され、第２のベベルを形成する第２の注射角度ガイドと、前記第１のベベル及び前記第２のベベルは、交わり部で交わり、前記引っ込み可能なシースの前記遠位端に鈍先端として構成され、第２の注射角度ガイドに隣接して配置された第３の注射角度ガイドとの３つの注射角度ガイドを含む、前記引っ込み可能なシースとを備え、
前記針は、前記ハウジングの前記近位端にある針ハブに連結され、前記針の前記遠位端に針ベベルを有することを特徴とする安全針デバイス。
【請求項１２】
前記シースベベルおよび前記針ベベルは、互いにオフセットされることを特徴とする請求項１１に記載の安全針デバイス。
【請求項１３】
前記目盛のある注射深さゲージは、前記引っ込み可能なシースの外面上に印刷される、刻まれる、エッチングされる、エンボス加工されるまたは型押しされることを特徴とする請求項１１に記載の安全針デバイス。
【請求項１４】
前記目盛のある注射深さゲージは、針長さと相関されるように一定の基準で決められることを特徴とする請求項１１に記載の安全針デバイス。
【請求項１５】
前記目盛のある注射深さゲージを読み取るための視覚的なインジケータをさらに備えることを特徴とする請求項１１に記載の安全針デバイス。
【発明の詳細な説明】
【技術分野】
【０００１】
本発明は、一般に、安全針デバイスに関し、より詳細には、ハウジング、引っ込み可能なシースおよび針カニューレを有する安全針デバイスに関する。引っ込み可能なシースは、ハウジングの一部まわりに摺動可能に取り付けられカニューレの長さを完全にまたは部分的に包み込む、管状部分を有する。引っ込み可能なシースは、さらに、遠位端にシースベベルを有する。シースベベルは、鈍先端または斜めの先端を有する。斜めの先端は、適切な注射角度に構成され、固定されても回転可能であってもよい。シースベベルは、遠位端に皮膚に係合する接触面を有することができる。針は、ハウジングの近位端にある針ハブに連結されてもよく、遠位端に針ベベルを含む。シースベベルと針ベベルは、互いにオフセットされ得る。針穿通を示す目盛のある注射深さゲージを有する引っ込み可能なシースを有する安全針デバイスも開示される。
【背景技術】
【０００２】
針デバイスは、医療産業において、多種多様な流体および溶液を人間の体に注入し、また体から抜き取るのに広く使用されている。体液、特に血液の取り扱いおよび操作に関しては多くの潜在的な危険性があるので、針に不用意に曝されることから施術者を保護するために、様々なタイプの針デバイスにしばしば組み込まれているいくつかの既知の安全機能がある。
【０００３】
先行の引っ込み式シース安全針デバイスは、注射部位に対して垂直な注射に適した鈍先端を含むように開発されている。鈍先端は、たいていの筋肉内注射には理想的であるが、例えば、皮内または皮下である他の注射の投与手技には、異なる注射角度が必要となり得る。既存の安全針デバイスの場合、例えば、浅い注射角度は困難または不可能である。
【０００４】
先行の引っ込み式シース安全針デバイスは、単回使用のカバーアセンブリを含むように開発されており、カバーアセンブリは、注射処置前、処置中および処置後に視界から注射針の実質的に大部分または全体を覆い隠す。しかし、多くの注射処置では、施術者が、薬剤が確実に適切な位置に送達されるように、針が患者の組織内に挿入される深さを正確に知ることが必要である。先行の引っ込み式シース安全針デバイスには、注射深さを迅速かつ簡単に決定できるような深さゲージがない。
【発明の概要】
【発明が解決しようとする課題】
【０００５】
当業界では、浅い注射角度を必要とすることがある皮内および皮下などの注射投与手技を容易にするように、様々な異なる注射角度に適するように形成されるシース先端を有する安全針デバイスを提供することが必要とされている。
【０００６】
さらに、当業界では、筋肉内および皮下などの特定の注射タイプに特に有用である、注射深さを迅速かつ簡単に決定することができる深さゲージ機能を有する安全針デバイスを提供することが必要とされている。
【課題を解決するための手段】
【０００７】
本発明は、近位端および開口を有する遠位端を有するハウジングを含む安全針デバイスを対象とする。安全針デバイスは、さらに、開口内に配置されその中を移動することができ針を囲繞する、引っ込み可能なシースを含む。針は、ハウジングの近位端にある針ハブに連結されてもよく、遠位端に鈍先端またはベベル付き先端を有する。１または複数の実施形態では、ハウジングの近位端は、ルアー連結部もしくは他の流体コネクタに連結可能であり、またはシリンジなどのデバイスと一体に形成されてもよい。引っ込み可能なシースは、遠位端にシースベベルを含むことができる。シースベベルと針ベベルは、互いにオフセットされる。一実施形態では、シースベベルと針ベベルは１８０度オフセットされ得る。
【０００８】
本発明の１または複数の実施形態では、シースベベルは、皮膚に係合する接触面のセクションを含む。皮膚に係合する接触面のセクションは、注射前に皮膚をぴんと張って保持し、摩擦を高める材料を含むことができる。
【０００９】
本発明の１または複数の実施形態では、シースベベルは、１０から９０度の範囲内に形成される少なくとも１つの注射角度ガイドを含む。１または複数の実施形態では、注射角度ガイドは、５から５０度の範囲内に形成され得る。他の実施形態では、注射角度ガイドは、鈍先端として形成される。
【００１０】
さらに他の実施形態では、シースベベルは、少なくとも２つの注射角度ガイドを含む。第１の注射角度ガイドは、１０から９０度の範囲内に形成され、第２の注射角度ガイドは、１０から９０度の範囲内において第１の角度よりも大きな角度に形成される。１または複数の実施形態では、第１の注射角度ガイドは、鈍先端として形成される。１または複数の実施形態では、第２の注射角度ガイドは、鈍先端として形成される。
【００１１】
１または複数の実施形態では、注射角度ガイドは、注射部位に対して針ベベル角度を適合させるように、固定されるまたは回転可能にされ得る。
【００１２】
１または複数の実施形態では、シースベベルは、円錐台形状の先端を有することができる。
【００１３】
円錐台形状の先端は、透明であってよく、様々な材料からなってよく、および／または薄い透明なオーバーモールド（overmold）を含んでもよい。先端および／またはオーバーモールドは、皮膚との高い摩擦係数を有する材料で作製され得る。
【００１４】
１または複数の実施形態では、シースベベルは、湾曲した先端を有することができる。湾曲した先端は、高摩擦接触面を含むことができる。
【００１５】
１または複数の実施形態では、シースベベルは、遠位方向に向いた軸方向突出部を含む鈍先端を有することができる。軸方向突出部は、さらに、皮膚との高い摩擦係数を有する材料で作製されるナブを含むことができる。
【００１６】
本発明は、さらに、近位端および開口を有する遠位端を有するハウジングを含む安全針デバイスを対象とする。１または複数の実施形態では、ハウジングの近位端は、ルアー連結部もしくは他の流体コネクタに連結可能であってよく、またはシリンジのようなデバイスと一体に形成されてもよい。
【００１７】
安全針デバイスは、さらに、開口内に配置されその中を移動可能であり針を囲繞する、引っ込み可能なシースを含む。引っ込み可能なシースは、針穿通を示す目盛のある注射深さゲージ、および遠位端にシースベベルを含むことができる。針は、ハウジングの近位端にある針ハブに連結され、遠位端に針ベベルを有することができる。シースベベルと針ベベルは互いにオフセットされ得る。
【００１８】
１または複数の実施形態では、目盛のある注射深さゲージは、引っ込み可能なシースの外面上に印刷され得る。他の実施形態では、目盛のある注射深さゲージは、引っ込み可能なシースの外面上に刻まれる、エッチングされる、エンボス加工される、成形によって型押しされる、または形成され得る。
【００１９】
１または複数の実施形態では、目盛のある注射深さゲージは、針長さまたは注射角度と相関されるように一定の基準で決められ（scale）得る。針穿通深さは、目盛とハブの交わるところから読み取ることができる。
【００２０】
安全針デバイスは、さらに、引っ込み可能なシース上に印刷もしくは形成された拡大する窓、矢印、線もしくは他の特徴、または可視マーカを含む、目盛のある注射深さゲージを読み取るための視覚的なインジケータを含むことができる。
【図面の簡単な説明】
【００２１】
【図１】皮膚に注射される前の、安全針デバイスの斜視図である。
【図２】皮膚に注射された後の、安全針デバイスの斜視図である。
【図３】本発明の一代替的実施形態による、２つのベベルガイドを有する安全針デバイスの斜視図である。
【図４】本発明の一代替的実施形態による、２つのベベルガイドを有する安全針デバイスの斜視図である。
【図５】本発明の一代替的実施形態による、２つのベベルガイドを有する安全針デバイスの斜視図である。
【図６】本発明の一代替的実施形態による、２つのベベルガイドを有する安全針デバイスの斜視図である。
【図７】本発明の一代替的実施形態による、２つのベベルガイドを有する安全針デバイスの斜視図である。
【発明を実施するための形態】
【００２２】
本発明のいくつかの例示的な実施形態を説明する前に、本発明は、以下の説明に記載する構造または方法のステップの詳細に限定されないことを理解されたい。本発明は、他の実施形態も可能であり、様々に実施または実行することができる。
【００２３】
本開示では、慣例に従って、デバイスの遠位端は患者に最も近い端部であり、デバイスの近位端は患者から離れ施術者に最も近い端部である。
【００２４】
図１には、本発明による例示的な安全針デバイス１０が示されている。一般的に言えば、安全針デバイス１０は、針４０、ハウジング２０および引っ込み可能なシース５０からなる。ハウジング２０は、近位端２２、および開口２６を有する遠位端２４を含む。１または複数の実施形態では、ハウジングの近位端は、ルアー連結部３０または他の流体コネクタに連結可能であってよい。引っ込み可能なシース５０は、開口２６に摺動可能に取り付けられその中を移動することができ、ハウジング２０から軸方向に突出する針４０を摺動可能に収容しそれを包み込む。「引っ込み可能なシース」という用語は、任意の種類の管状部材を含むものとする。引っ込み可能なシース５０は、当業者には明らかなように、針４０の寸法およびタイプに適合するような寸法に作られる。ハウジング２０は、引っ込み可能なシース５０が中で近位方向に移動することができる内側中空領域（図示せず）を有するハウジング本体部分を含むことができる。針４０は、ハウジング２０の近位端２２に配置される針ハブ（図示せず）に連結されてもよく、遠位端に鈍先端またはベベル付き先端を有する。針は、本発明の一部を構成しない、当分野でよく理解されているようにして針ハブ内に配置される。針ハブは、ハウジング本体部分と一体に形成され得る。針４０は、ハウジング２０に配置された針ハブから針先端まで延在し、引っ込み可能なシース５０が遠位位置にあるとき、引っ込み可能なシース５０内に完全に受容される。針先端は、引っ込み可能なシース５０が近位位置にあるとき、引っ込み可能なシース５０から露出する。引っ込み可能なシース５０は、遠位端にシースベベル５４を含むことができる。シースベベル５４と針ベベル４８は互いにオフセットされる。１つの実施形態では、シースベベル５４と針ベベル４８は、１８０度オフセットされ得る。
【００２５】
いくつかの図面、特に図２に示されるように、引っ込み可能なシース５０は、全体的に、管状部分からなり、シース５０がその引っ込み位置にあるときに針４０の少なくともかなりの部分が露出するように、針４０の長さに沿って引っ込み可能に摺動することができる。図１に示されるように、針ハブから遠位方向に外方に延在する針４０の長さは、引っ込み可能なシース５０が引っ込められていない位置にあるとき、部分的にまたは完全に包まれる。
【００２６】
注射を投与したとき、引っ込み可能なシース５０は、遠位から近位位置まで移動し、針先端は、注射部位を穿通することができるように露出される。針４０を挿入することが望ましい場所でシース５０を皮膚に押し付けることによって力を加え続けると、シース５０はハウジング２０内に引っ込み、それによって針先端による注射部位の穿通が可能になる。引っ込み可能なシース５０が完全に引っ込められた位置（最近位位置）に達すると、針は、完全に伸長された位置になり、針先端が注射部位の最大穿通に達する。注射が完了したとき、施術者は針を引き抜きさえすれば、引っ込み可能なシース５０が完全に伸長した状態まで弾性的に戻り、再び針４０を包み込むように再位置決めされる。本発明の１または複数の実施形態では、引っ込み可能なシースは、それを完全に伸長した状態へと弾性的に戻すように働くばね機構によって、ハウジングの近位端に連結される。
【００２７】
引っ込み式シース５０は、特定の注射処置に理想的な角度で先端に形成またはカットされるベベルを含むことができる。例えば、皮内注射の場合、理想的な注射角度は１０〜１５度であり、したがって、本発明の１または複数の実施形態では、ベベル先端は、使用者をこの角度に誘導するように１０〜１５度になっている。本発明の１または複数の実施形態では、シースベベル５４は、１０から９０度の範囲内に形成される少なくとも１つの注射角度ガイドを含む。１または複数の実施形態では、注射角度ガイド５８は、５から５０度の範囲内に形成され得る。他の実施形態では、注射角度ガイドの最先端は、垂直注射による苦痛を患者が受け続けないように、鈍先端５２として形成される。
【００２８】
さらに他の実施形態では、シースベベル５４は、少なくとも２つの注射角度ガイドを含む。第１の注射角度ガイドは、１０から９０度の範囲内に形成され、第２の注射角度ガイドは、１０から９０度範囲内において第１の角度よりも大きな角度に形成される。１または複数の実施形態では、第１の注射角度ガイドは、鈍先端として形成され得る。１または複数の実施形態では、第２の注射角度ガイドは、鈍先端として形成され得る。１または複数の実施形態では、第３のまたはそれより多い注射角度ガイドが、鈍先端として形成され得る。複数のベベルを有するシースの先端部は、一緒になって引っ込み可能なシースの遠位端の外縁まわりにベベルを有する面を画成する、複数の個別のベベルによって形成され得る。１つの実施形態では、複数のベベルを有する先端部は、第１のベベル６２、第２のベベル６４および鈍先端５２によって特徴づけられる。第２のベベル６４は、第１のベベル６２の両側に形成される。第１のベベル６２と第２のベベル６４は、第１のベベルと第２のベベルがそれぞれ形成される平面の境界を定める、図３に示される交わり部「Ａ」で交わる。これによって、浅い、中間のおよび垂直の注射角度でのほとんど全ての一般的な注射手技が可能になる。
【００２９】
図４〜７に示されるように、１または複数の実施形態において、シースベベル５４は、連続的に可変の注射角度を可能にするように形成されることが考えられる。図４および図５に示されるように、ベベル先端は円錐台形状に形成され、それによって連続的に可変の注射角度が可能になる。図４に示されるように、シースベベル５４は、ゴムのような透明な先端を含むこともできる。シースベベル５４は、やはりまた、図５に示されるように、薄く、好ましくは透明なオーバーモールドを含むこともできる。オーバーモールドは、これに限定されないが、ゴムを含む、皮膚との適切な摩擦係数を有する任意の弾力のある可撓性材料で作製され得る。図６には、湾曲した接触面を有するシースベベルが示されている。シースベベルの湾曲した先端は、さらに、滑りにくい高摩擦接触面を含むことができる。高摩擦接触面を構成する材料は、皮膚との適切な摩擦係数を有する任意の弾力のある可撓性材料であってよい。適切な材料は、ラテックスゴム、ブチルゴム、シリコーンなどの物質を含む。あるいは、接触面に十分な握力がある場合、追加の材料は省かれてもよい。図７には、遠位方向に向いた軸方向突出部７０を含む鈍先端６０を有するシースベベルが示されている。鈍先端の軸方向突出部は、さらにナブ８０を含むことができる。軸方向突出部のナブを構成する材料は、皮膚との適切な摩擦係数を有する任意の弾力のある可撓性材料であってよい。ナブに適した材料は、ラテックスゴム、ブチルゴム、シリコーンなどの物質を含む。本実施形態では、７０の先端は、接触する唯一の先端部であり、それによってその先端部まわりの回転、したがって連続的に可変の注射角度が可能になる。
【００３０】
１または複数の実施形態では、注射角度ガイドは、注射部位に対して針ベベル角度を適合させるように固定されても回転可能であってもよい。全部ではないが大部分の一般的な注射は、ベベルに関して「ベベルアップ（bevel up）」か無方向かのどちらかであると考えられる。好ましい一実施形態では、針ベベル４８は、注射角度ガイドおよび注射角度に対して上向き位置に向けられる。
【００３１】
特定のタイプの注射手技では、注射の投与前に患者の皮膚をぴんと張るように引っ張るのが望ましい。本発明の１または複数の実施形態では、シースベベル５４は、注射前に患者の皮膚をぴんと張って保持するようにベベル先端と患者の皮膚の間の摩擦を増大させる皮膚に係合する接触面５６のセクションを含む。皮膚に係合する接触面は、患者の皮膚に接触するとき、摩擦的にまたは粘着的に係合して注射部位に外方または横方向の力を加え、それによって針先端が注射部位を刺す前に皮膚がぴんと張った状態で保持されるようになる。それと同時に、針先端が、注射部位の皮膚を穿通するまで伸長され得る。皮膚に係合する接触面は、シースのベベル先端に配置される。好ましい一実施形態では、皮膚に係合する接触面５６のセクションは、シースベベルの遠位端に配置される。皮膚に係合する接触面５６のセクションは、摩擦を高める材料からなってよい。皮膚に係合する接触面を構成する材料は、皮膚との適切な摩擦係数を有する任意の弾力のある可撓性材料であってよい。適切な材料は、ラテックスゴム、ブチルゴム、シリコーンなどのポリマー物質を含む。好ましい一実施形態では、皮膚に係合する接触面は、シースのばね力と相まって、患者の皮膚をぴんと張るように引っ張るように働く。
【００３２】
本発明による針４０は、鋼、またはより好ましくはステンレス鋼などの従来の材料で形成され得る。当業者には、医療グレードプラスチック、複合材料、セラミックまたは同様の材料が代用され得ると理解されよう。ベベルは、例えば研磨など従来のプロセスによって針４０上に形成され得る。
【００３３】
端部が開いた引っ込み式シース５０の内径は、それが針４０の上にぴったり適合しさらに針４０に沿って自由に摺動するように選択される。引っ込み式シース５０は、あらゆる適切な材料で作製可能であるが、針４０を保護するのに十分に丈夫であり簡単に滅菌可能なポリマーで作製されるのが好ましい。材料は、透明または半透明であるのが好ましく、それによって引っ込み式シース５０内の針４０の位置を目視で確かめることが可能になる。シース５０は、透明材料で作製されるのが好ましく、それによって医療従事者が、それがシース５０から現れるときに針４０の進行を見て注射に望ましい場所にそれが位置決めされるのを確かめることができるようになる。
【００３４】
他の実施形態では、本発明は、さらに、近位端２２および開口２６を有する遠位端２４を有するハウジング２０と、針穿通を示す目盛のある注射深さゲージを有する引っ込み可能なシース５０とを含む、安全針デバイス１０を対象とする。１または複数の実施形態では、ハウジングの近位端は、ルアー連結部３０または他の流体コネクタに連結可能であってよい。引っ込み可能なシース５０は、開口２６内に配置されその中を移動することができ、針４０を囲繞する。引っ込み可能なシース５０は、遠位端にシースベベル５４を含む。針４０は、ハウジング２０の近位端２２にある針ハブに連結可能であり、遠位端に針ベベル４８を有することができる。シースベベル５４と針ベベル４８は、互いにオフセットされ得る。
【００３５】
注射が実施され針４０が組織に挿入されると、引っ込み可能なシース５０はハウジング２０に押入れられる。図１および図２に示されるように、針４０の深さは、図示の実施形態では、ゲージのハブに入るところから読み取ることができる。
【００３６】
１または複数の実施形態では、目盛のある注射深さゲージは、引っ込み可能なシース５０の外面上に印刷され得る。他の実施形態では、目盛のある注射深さゲージは、引っ込み可能なシース５０の外面上に刻まれる、エッチングされる、エンボス加工される、成形によって型押しされる、または形成され、施術者による針深さ穿通の測定の助けとなり得る。
【００３７】
図示の実施形態の深さゲージ目盛は、針長さごとに固有である。
【００３８】
同じデバイスにおける異なる注射角度に異なる目盛が必要となり得ることが考えられる。
【００３９】
例えば、垂直注射では、針４０は、目盛に対して、浅い角度のときとは異なる深さに入ることになる。したがって、様々な注射角度において正確な読み取りがされるべき場合、複数の目盛が必要とされ得ることが企図される。
【００４０】
１または複数の実施形態では、目盛のある注射深さゲージは、針長さまたは注射角度と相関されるように一定の基準で決められ得る。針穿通深さは、引っ込み可能なシース５０の外側に現れる穿通深さマーカとハウジングの遠位端２４の交わるところから読み取ることができる。深さマーカは、例えば引っ込み可能なシース５０が最遠位位置にあるときである、針４０が初期位置にあるとき、深さマーカに対する針先端部の位置が例えば針先端の最大穿通深さを示すように構成されてよい。
【００４１】
安全針デバイス１０は、さらに、引っ込み可能なシース５０上に印刷もしくは形成された拡大する読み取り窓、矢印、線もしくは他の特徴、または可視マーカを含む、目盛のある注射深さゲージを読み取るための視覚的なインジケータを含むことができる。他の可視マーカも利用することができ、例えば、記号および言葉が引っ込み式シース５０上に配置されてもよい。
【００４２】
本明細書全体を通じて、「１つの実施形態」、「いくつかの実施形態」、「１または複数の実施形態」、または「一実施形態」への言及は、実施形態に関連して記載された特定の特徴、構造、材料、もしくは特性が本発明の少なくとも１つの実施形態に含まれることを意味する。したがって、本明細書全体を通じて様々な箇所における「１または複数の実施形態では」、「いくつかの実施形態では」、「１つの実施形態では」、または「一実施形態では」などの言い回しの記載は、必ずしも本発明の同じ実施形態に言及するものではない。さらに、特定の特徴、構造、材料、または特性は、１または複数の実施形態において任意の適した方法で組み合わされてもよい。
【００４３】
特定の実施形態を参照して本明細書の本発明を説明してきたが、これらの実施形態は、本発明の原理および適用の例示に過ぎないことを理解されたい。本発明の精神および範囲から逸脱することなく、本発明の方法および装置に様々な修正および変更が加えられてもよいことは、当業者には明らかであろう。したがって、本発明は、添付の特許請求の範囲およびそれらの均等物の範囲内にある修正形態および変形形態を含むことが意図される。
【図１】
2018015654.tif 000003
【図２】
2018015654.tif 000004
【図３】
2018015654.tif 000005
【図４】
2018015654.tif 000006
【図５】
2018015654.tif 000007
【図６】
2018015654.tif 000008
【図７】
2018015654.tif 000009